(57)【要約】【課題】ハンドオーバー先の通信時における品質を精度良く測定できる通信装置及び通信方法を提供すること。【解決手段】通信装置は、干渉を与えるセルがデータの送信を行わない第１のサブフレームと、セルがデータの送信を行う第２のサブフレームとを含む複数のサブフレームのうち、回線の品質を測定するためのサブフレームとして、第２のサブフレームを示す制御情報を、端末に送信する送信部と、制御情報が示すサブフレームに対して、端末が測定した品質を示す情報を受信する受信部と、を備える。【選択図】図６
2014239552.tif 000002
【特許請求の範囲】
【請求項１】
干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信する送信部と、
前記制御情報が示すサブフレームに対して、前記端末が測定した前記品質を示す情報を受信する受信部と、
を備えた通信装置。
【請求項２】
前記セルは、隣接セルである、
請求項１に記載の通信装置。
【請求項３】
前記制御情報が示すサブフレームは、ＭＢＳＦＮサブフレーム以外のサブフレームを含む、
請求項１又は２に記載の通信装置。
【請求項４】
前記制御情報は、前記第１のサブフレームと、前記第２のサブフレームとを含む複数のサブフレームのうち、前記第２のサブフレームをビットマップで示す、
請求項１から３のいずれか一項に記載の通信装置。
【請求項５】
前記制御情報は、前記第１のサブフレームと、前記第２のサブフレームとを含む複数のサブフレームのうち、前記第２のサブフレームをパターン化して示す、
請求項１から４のいずれか一項に記載の通信装置。
【請求項６】
前記制御情報が示すサブフレームは、前記セルに依存して異なる、
請求項１から５のいずれか一項に記載の通信装置。
【請求項７】
前記受信部は、前記端末が、前記制御情報に基づいて、前記セルからの干渉があるサブフレームに対して測定した前記品質を示す情報を受信する、
請求項１から６のいずれか一項に記載の通信装置。
【請求項８】
前記受信部は、前記端末が、前記品質として測定した受信電力を示す情報を受信する、
請求項１から７のいずれか一項に記載の通信装置。
【請求項９】
前記受信部は、前記端末が、前記品質として測定した受信品質を示す情報を受信する、
請求項１から８のいずれか一項に記載の通信装置。
【請求項１０】
干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信し、
前記制御情報が示すサブフレームに対して、前記端末が測定した前記品質を示す情報を受信する、
通信方法。
【請求項１１】
干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信する処理と、
前記制御情報が示すサブフレームに対して、前記端末が測定した前記品質を示す情報を受信する処理と、
を制御する集積回路。
【発明の詳細な説明】
【技術分野】
【０００１】
本発明は、端末と基地局との間でデータを送受信する通信装置及び通信方法に関する。
【背景技術】
【０００２】
移動通信の国際的な標準化団体である３ＧＰＰ  （３ｒｄ  Ｇｅｎｅｒａｔｉｏｎ  Ｐａｒｔｎｅｒｓｈｉｐ  Ｐｒｏｊｅｃｔ）において、第４世代の移動通信システムとしてＬＴＥ−Ａｄｖａｎｃｅｄ（Ｌｏｎｇ  Ｔｅｒｍ  Ｅｖｏｌｕｔｉｏｎ−Ａｄｖａｎｃｅｄ、ＬＴＥ−Ａ）の標準化が開始された。ＬＴＥ−Ａでは、非特許文献１のように、カバレッジの拡大やキャパシティの向上を目的として、中継局（Ｒｅｌａｙ  Ｎｏｄｅ、ＲＮ）を用いて無線信号を中継するＲｅｌａｙ技術が検討されている。
【０００３】
Ｒｅｌａｙ技術について、図１２を用いて説明する。図１２は、Ｒｅｌａｙ技術による無線信号の中継システムを説明するための図である。図１２において、ｅＮＢは基地局、ＲＮは中継局、ＵＥは無線通信端末をそれぞれ示す。ＵＥ１はｅＮＢに接続する無線通信端末、ＵＥ２はＲＮに接続する無線通信端末を示す。
【０００４】
ここで、ＬＴＥ−Ａでは、ＲＮもｅＮＢと同様に個別のセルＩＤを持つことが検討されており、これにより、ＵＥからみるとＲＮもｅＮＢと同様に１つのセルとみなすことができる。
ｅＮＢは有線通信でネットワークに接続していて、ＲＮは無線通信でｅＮＢと接続している。ＲＮとｅＮＢを接続する通信回線をバックホール（ｂａｃｋｈａｕｌ）回線と呼ばれている。これに対して、ｅＮＢやＲＮとＵＥを接続する通信回線をアクセス（ａｃｃｅｓｓ）回線と呼ばれている。
【０００５】
図１２を参照して、下り回線（Ｄｏｗｎ  Ｌｉｎｋ、ＤＬ）の無線中継システムについて、説明する。図１２は、従来の無線中継システムを示す図である。ＲＮはバックホール回線においてｅＮＢからの信号を受信する。また、ＲＮは自身のアクセス回線において、ＵＥ２に対して信号を送信する。
【０００６】
ここで、バックホール回線とアクセス回線を同一の周波数帯域の中に収容する場合、ＲＮが送受信を同時に行うと回り込みによる干渉が発生する。そのため、ＲＮは送受信を同時に行うことができない。したがって、ＬＴＥ−Ａでは、バックホール回線とＲＮのアクセス回線を時間領域（サブフレーム単位）で分割して割当てるＲｅｌａｙ方式が検討されている。
【０００７】
図１３を参照して、バックホール回線とＲＮのアクセス回線を時間領域（サブフレーム単位）で分割して割当てる従来のＲｅｌａｙ方式について説明する。図１３は、従来のＲｅｌａｙ方式における下り回線のサブフレーム構成を示す図である。図１３中の記号［ｎ、ｎ＋１、・・・］はサブフレーム番号を示す。図１３中のボックスは下り回線のサブフレームを示しており、ｅＮＢの送信サブフレーム、ＵＥ１の受信サブフレーム、ＲＮの送信サブフレーム、ＵＥ２の受信サブレームを示している。
【０００８】
図１３に示すように、全てのサブフレームにおいて、ｅＮＢは信号を送信する。また、全てのサブフレームで、ＵＥ１は信号を受信する。また、図１３に示すように、ＲＮは、サブフレーム番号［ｎ＋２、ｎ＋６］を除いたサブフレームで信号を送信する。ＵＥ２は、サブフレーム番号［ｎ＋２、ｎ＋６］を除いたサブフレームで信号を受信することができる。そして、ＲＮは、サブフレーム番号［ｎ＋２、ｎ＋６］のサブフレームで、ｅＮＢからの信号を受信する。
【０００９】
上述のように、ＲＮでは、サブフレーム番号［ｎ＋２、ｎ＋６］のサブフレームがＲＮのバックホール回線となり、それ以外のサブフレーム番号［ｎ、ｎ＋１、ｎ＋３、ｎ＋４、ｎ＋５］のサブフレームがＲＮのアクセス回線となる。
【００１０】
しかしながら、ＲＮがバックホールとなるサブフレームで、ＲＮが信号を送信しないと、ＲＮの存在を知らないＬＴＥのＵＥは、ＲＮの品質を測定するメジャメント動作が機能しなくなるという問題が発生する。
【００１１】
上述した問題を解決する方法として、ＬＴＥ−Ａでは、ＬＴＥにおいて規定されているＭＢＳＦＮ（Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ）サブフレームを用いることが検討されている。
【００１２】
ＭＢＳＦＮサブフレームとは、将来的にＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）サービスを実現するために用意されているサブフレームである。ＭＢＳＦＮサブフレームは、先頭２シンボルでセル固有の制御情報を送信し、３シンボル目以降の領域でＭＢＭＳ用の信号を送信する仕様となっている。
【００１３】
ここで、ＬＴＥの端末は、ＭＢＳＦＮサブフレームで、先頭２シンボルを使ってメジャメントを行うことができる。そのため、ＭＢＳＦＮサブフレームをＲＮセルにおいて擬似的に用いて、ＲＮはＭＢＳＦＮサブフレームをバックホール回線の受信サブフレームとして用いることができる。具体的に、ＲＮはＭＢＳＦＮサブフレームの先頭２シンボルでＲＮセル固有の制御情報を送信し、ＭＢＳＦＮサブフレームの３シンボル目以降の領域でＭＢＭＳ用のデータを送信しないで、ｅＮＢからの信号を受信する。
【００１４】
本明細書において、上述したＭＢＳＦＮサブフレームのことを「ＲＮがバックホールとして用いるＭＢＳＦＮサブフレーム」と呼ぶ。
【００１５】
ところで、移動通信システムでは、あるｅＮＢと通信していたＵＥにおいて、そのＵＥ自身の移動や周辺環境の変化などにより、そのｅＮＢからの受信電力が低下してＵＥがｅＮＢとの通信を維持できなくなる状況が発生する。
このような状況に対して、ＵＥは、通信しているｅＮＢより受信電力が高いｅＮＢやＲＮに接続しなおすことで、通信を維持することができる。これが、ハンドオーバーである。
以下、このｅＮＢやＲＮのことをセルと呼び、ＵＥと通信しているセルを自セルと呼ぶこともある。
【００１６】
ハンドオーバーを行うために、ＵＥは、通信しているセルの周辺に存在するセルからの信号電力を測定する必要がある（自セルの周辺に存在するセルを隣接セルと呼ぶこともある）。３ＧＰＰ  ＬＴＥでは、この周辺のセルからの信号電力・信号品質の測定のことを、メジャメント（ｍｅａｓｕｒｅｍｅｎｔ）と呼んでいる。
【００１７】
メジャメント（ｍｅａｓｕｒｅｍｅｎｔ）では、セルは、ＵＥに対して周辺のセルからの受信電力や品質を測定するように指示し、ＵＥは、周辺セルからの受信電力を測定して、その測定結果を自セルに通知する。ＵＥは、セル固有の系列を用いた生成されている参照信号（Ｒｅｆｅｒｅｎｃｅ  Ｓｉｇｎａｌ、ＲＳ）や同期信号（Ｓｙｎｃｈｒｏｎｉｚａｔｉｏｎ  Ｓｉｇｎａｌ）を用いてメジャメントを行う。
【００１８】
ＬＴＥのメジャメント（ｍｅａｓｕｒｅｍｅｎｔ）では、非特許文献２において示されているように、ＵＥはセル固有の参照信号を用いて、ＲＳＲＰ（Ｒｅｆｅｒｅｎｃｅ  Ｓｉｇｎａｌ  Ｒｅｃｅｉｖｅｄ  Ｐｏｗｅｒ）とＲＳＲＱ（Ｒｅｆｅｒｅｎｃｅ  Ｓｉｇｎａｌ  Ｒｅｃｅｉｖｅｄ  Ｑｕａｌｉｔｙ）を測定する。
【先行技術文献】
【非特許文献】
【００１９】
【非特許文献１】３ＧＰＰ  ＴＲ３６．８１４  ｖ０．４．１  （２００９−０２）  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）
【非特許文献２】３ＧＰＰ  ＴＳ３６．２１４  ｖ８．６．０  （２００９−０３）  Ｐｈｙｓｉｃａｌ  ｌａｙｅｒ  −  Ｍｅａｓｕｒｅｍｅｎｔｓ  （Ｒｅｌｅａｓｅ  ８）
【発明の概要】
【発明が解決しようとする課題】
【００２０】
ＬＴＥでは、ＭＢＳＦＮサブフレームがある場合のメジャメントとして、例えば、次のように動作する。まず、セルは、配下のＵＥに対して、システム情報を通知するＳＩＢ２（Ｓｙｓｔｅｍ  Ｉｎｆｏｒｍａｔｉｏｎ  Ｂｌｏｃｋ  ２）において、ＭＢＳＦＮサブフレームの位置を通知する。
【００２１】
上述したようにＭＢＳＦＮサブフレームは、本来、ＭＢＭＳサービスを行うことを目的として用意されているので、ＵＥ、特にＬＴＥのＵＥは、自セルのＭＢＳＦＮサブフレームでは、周辺セルでもＭＢＳＦＮサブフレームが存在していると認識する。そのため、ＵＥは、自セルのＭＢＳＦＮサブフレームにおいて、ＭＢＳＦＮサブフレームに適したメジャメント動作を行うことができる。例えば、先頭２シンボルだけを使ってメジャメントを行う、または、ＭＢＳＦＮサブフレームではメジャメントを行わない、などの動作を行う。
【００２２】
ＬＴＥ−Ａにおいて、ＭＢＳＦＮサブフレームをＲＮがバックホールとして用いる際に、「ＲＮがバックホールとして用いるＭＢＳＦＮサブフレーム」の位置が、ＲＮ毎に異なる場合もある。この場合、自セルのＭＢＳＦＮサブフレームでないサブフレームにおいて、隣接するＲＮではＭＢＳＦＮサブフレームとなる。
【００２３】
ここで、隣接するＲＮは、「ＲＮがバックホールとして用いるＭＢＳＦＮサブフレーム」の３シンボル目以降の領域でｅＮＢからの信号を受信するため、信号を送信しない。「ＲＮがバックホールとして用いるＭＢＳＦＮサブフレーム」で信号を送信しないＲＮがＵＥにとってメジャメント（ｍｅａｓｕｒｅｍｅｎｔ）のターゲットセルでない場合、当該ＲＮから信号が送信されないと、ＵＥからは、ターゲットセルからの信号に対する干渉が減少したように見える。
【００２４】
ターゲットセルからの信号に対する干渉が少ない状態で、ＵＥがターゲットセルのメジャメントを行うと、メジャメント結果に基づく品質と、干渉が存在する実際の品質との間に誤差が発生してしまう課題がある。例えば、ＵＥがメジャメント結果に基づく品質が実際の品質より良い品質と認識し、ＵＥがハンドオーバーしてしまうと、ハンドオーバー先のセルで、ＵＥがメジャメント結果に基づいて期待したスループットを達成できないといった問題が発生する。
【００２５】
本発明の目的は、ハンドオーバー先の通信時における品質を精度良く測定できる通信装置及び通信方法を提供することである。
【課題を解決するための手段】
【００２６】
本発明は、干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信する送信部と、前記制御情報が示すサブフレームに対して、前記端末が測定した前記品質を示す情報を受信する受信部と、を備えた通信装置を提供する。
【００２７】
また、本発明は、干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信し、前記制御情報が示すサブフレームに対して、前記端末が測定した前記品質を示す情報を受信する、通信方法を提供する。
【００２８】
また、本発明は、干渉を与えるセルがデータの送信を行わない第１のサブフレームと、前記セルがデータの送信を行う第２のサブフレームとを含む複数のサブフレームのうち、回線の品質を測定するためのサブフレームとして、前記第２のサブフレームを示す制御情報を、端末に送信する処理と、前記制御情報が示すサブフレームに対して、前記端末が測定した前記品質を示す情報を受信する処理と、を制御する集積回路を提供する。
【発明の効果】
【００２９】
本発明に係る通信装置及び通信方法によれば、１つのｅＮＢに接続している複数のＲＮにおいてバックホールとして用いられておらず、複数のＲＮから信号が送信されているサブフレームにおいて、ＵＥが、ハンドオーバー用のメジャメントを行うことで、ハンドオーバー先の通信時における品質を精度良く測定できる。
【図面の簡単な説明】
【００３０】
【図１】本発明の実施の形態１における無線中継システムを示す図
【図２】図１における下り回線のサブフレームを示す図
【図３】図２におけるメジャメントを行うサブフレームのビットマップを示す図
【図４】図２におけるメジャメントを行うサブフレームを示す図
【図５】実施の形態１に係る無線通信端末１００の構成を示すブロック図
【図６】実施の形態１に係る基地局装置２００の構成を示すブロック図
【図７】無線通信端末１００の変形例である無線通信端末５００の構成を示すブロック図
【図８】本発明の実施の形態２における無線中継システムを示す図
【図９】図８における下り回線のサブフレームを示す図
【図１０】実施の形態２に係る基地局装置４００の構成を示すブロック図
【図１１】実施の形態２の無線通信端末の変形例の構成を示すブロック図
【図１２】従来の無線中継システムを示す図
【図１３】従来のＲｅｌａｙ方式における下り回線のサブフレーム構成を示す図
【発明を実施するための形態】
【００３１】
（実施の形態１）
以下、本発明の実施の形態１について、図１〜図７を参照して説明する。
まず、本発明の実施の形態１における無線中継システムについて、説明する。図１は、本発明の実施の形態１における無線中継システムを示す図である。図１において、ｅＮＢは基地局（基地局装置）２００、ＲＮ１、ＲＮ２は中継局３１０、３２０、ＵＥは無線通信端末１００をそれぞれ示す。
【００３２】
以下、実施の形態１では、無線通信端末１００をＵＥ、基地局２００をｅＮＢ、中継局３１０、３２０をそれぞれＲＮ１、ＲＮ２と記載する。
以下、実施の形態１では、ＬＴＥ−Ａで検討されているように、ＲＮ１、ＲＮ２は、ｅＮＢと同様に、個別のセルＩＤを持つものとする。そのため、ＵＥからみると、ＲＮ１、ＲＮ２もそれぞれ、ｅＮＢと同様に、１つのセルとみなすことができる。
以下、実施の形態１では、ＬＴＥ−Ａで検討されているように、バックホール回線とＲＮのアクセス回線を時間領域（サブフレーム単位）で分割して割当てるＲｅｌａｙ方式をとるものとする。
【００３３】
ここで、図１に示す無線中継システムで、メジャメント結果に基づく品質とハンドオーバー先における実際の品質に生じる誤差について考える。誤差は、メジャメント結果が実際の品質より悪い品質となることに起因する第１の誤差と、メジャメント結果が実際の品質より良い品質となることに起因する第２の誤差とがある。
【００３４】
第１の誤差が発生する一例として、ジャメント結果に基づいてハンドオーバー先を決定したにも関わらず、そのメジャメント結果に基づいて期待される特性を得ることができない場合がある。さらに、メジャメント結果に比べてハンドオーバー先の実際の品質が極めて悪い場合、ハンドオーバーを行う前より特性が低下する。さらには、ＵＥが通信を維持できない場合も発生する。
【００３５】
一方、第２の誤差が発生する一例として、ハンドオーバー先において、メジャメント結果に基づいて期待していた特性より、高い特性を得ることができる場合がある。メジャメント結果とハンドオーバー先の実際の品質に生じる誤差として、第１の誤差のほうが第２の誤差よりも、図１に示す無線中継システムへの影響が大きい。そのため、第１の誤差の発生を回避することが望ましい。 
【００３６】
したがって、ハンドオーバー先の品質が変動する場合、ＵＥは最悪の品質の場合でメジャメント（ｍｅａｓｕｒｅｍｅｎｔ）を行ってｅＮＢに報告すれば、上述した第１の誤差を回避することができる。
【００３７】
ここで、最悪の品質とは、自セルおよび他セルから信号が送信されていて干渉が一番強くなる場合のメジャメント結果に基づく品質のことを言う。 
【００３８】
つまり、周辺のＲＮ１、ＲＮ２が信号を送信しているタイミングで、ＵＥはメジャメント（ｍｅａｓｕｒｅｍｅｎｔ）を行えば良い。言い換えると、周辺のＲＮ１、ＲＮ２において、「ＲＮがバックホールとして用いるＭＢＳＦＮサブフレーム」とならないサブフレームで、ＵＥはメジャメントを行うことになる。
【００３９】
ここで、周辺のＲＮとは、自セルがＲＮの場合には、ＵＥが接続するＲＮと、そのＲＮが接続するｅＮＢに接続する他のＲＮのこと言い、自セルがｅＮＢの場合には、そのｅＮＢに接続しているＲＮのことを言う。
【００４０】
上述したように、本実施の形態の一つの特徴は、ＵＥが、周辺の全てのＲＮにおいて、「ＲＮがバックホールとして用いるＭＢＳＦＮサブフレーム」とならないサブフレームで、ハンドオーバーのメジャメント（ｍｅａｓｕｒｅｍｅｎｔ）を行うことである。
【００４１】
ここで、図１および図２を参照して、本実施の形態におけるハンドオーバーのメジャメント（ｍｅａｓｕｒｅｍｅｎｔ）について説明する。図２は、図１における下り回線（Ｄｏｗｎ  Ｌｉｎｋ、ＤＬ）のサブフレームを示す図である。
【００４２】
図２において、ｅＮＢは全サブフレームで信号を送信している。また、ＲＮ１は、サブフレーム［ｎ＋２、ｎ＋６］を「ＲＮがバックホールとして用いるＭＢＳＦＮサブフレーム」に設定している。そのため、ＲＮ１は、サブフレーム［ｎ＋２、ｎ＋６］で信号を送信しない。同様に、ＲＮ２は、サブフレーム［ｎ＋４］を「ＲＮがバックホールとして用いるＭＢＳＦＮサブフレーム」に設定している。そのため、ＲＮ２は、サブフレーム［ｎ＋４］で信号を送信しない。
【００４３】
ＵＥは、サブフレーム［ｎ、ｎ＋１、ｎ＋３、ｎ＋５、ｎ＋７］で、ｅＮＢ、ＲＮ１、ＲＮ２からの全ての信号を受信する。そのため、ＵＥから見れば、サブフレーム［ｎ、ｎ＋１、ｎ＋３、ｎ＋５、ｎ＋７］で、周辺のセルのメジャメント（ｍｅａｓｕｒｅｍｅｎｔ）を行う場合における干渉成分が最も高いサブフレームとなる。
【００４４】
したがって、ＵＥは、サブフレーム［ｎ、ｎ＋１、ｎ＋３、ｎ＋５、ｎ＋７］をメジャメントを行うサブフレームとして、周辺のセルのメジャメント（ｍｅａｓｕｒｅｍｅｎｔ）を行う。
【００４５】
つまり、ＵＥは、全ての周辺のＲＮにおいて、「ＲＮがバックホールとして用いるＭＢＳＦＮサブフレーム」とならないサブフレームで、周辺のセルのメジャメント（ｍｅａｓｕｒｅｍｅｎｔ）を行う。
【００４６】
以下、図２〜図４を参照し、本実施の形態におけるハンドオーバーのメジャメント（ｍｅａｓｕｒｅｍｅｎｔ）を実現する具体的な方法の一例について説明する。
【００４７】
ｅＮＢ、ＲＮ１、及びＲＮ２は、ＵＥがメジャメント（ｍｅａｓｕｒｅｍｅｎｔ）を行うサブフレームを、ＵＥに対して通知する。そして、ＵＥは、メジャメント（ｍｅａｓｕｒｅｍｅｎｔ）を行うサブフレームで、メジャメント（ｍｅａｓｕｒｅｍｅｎｔ）を行う。
【００４８】
ｅＮＢ、ＲＮ１、及びＲＮ２は、「ＲＮがバックホールとして用いるＭＢＳＦＮサブフレーム」のタイミングを両者で共有しておく必要がある。そのため、ｅＮＢ、ＲＮ１、及びＲＮ２は、「ＲＮがバックホールとして用いるＭＢＳＦＮサブフレーム」の位置を共有している。
【００４９】
「ＲＮがバックホールとして用いるＭＢＳＦＮサブフレーム」の位置は、ＲＮ１、ＲＮ２に対する制御情報（上位レイヤーの制御情報を含む）を使って、ｅＮＢ及びＲＮ１、ＲＮ２間で共有される。
【００５０】
また、ＲＮ１、ＲＮ２に対する制御情報の中に、ｅＮＢに接続する他のＲＮに関する、「ＲＮがバックホールとして用いるＭＢＳＦＮサブフレーム」の位置情報を通知することで、ＲＮ１、ＲＮ２、及び他のＲＮ間でも、各ＲＮにおいて、「ＲＮがバックホールとして用いるＭＢＳＦＮサブフレーム」の位置情報を共有することができる。
【００５１】
つまり、ｅＮＢ、ＲＮ１、及びＲＮ２は、周辺のＲＮにおいて「ＲＮがバックホールとして用いるＭＢＳＦＮサブフレーム」とならないサブフレームの位置情報を認識することができる。したがって、ｅＮＢ、ＲＮ１、及びＲＮ２は、周辺のＲＮにおいて「ＲＮがバックホールとして用いるＭＢＳＦＮサブフレーム」とならないサブフレームを、メジャメント（ｍｅａｓｕｒｅｍｅｎｔ）を行うサブフレームとして、ＵＥに対して通知することができる。
【００５２】
メジャメント（ｍｅａｓｕｒｅｍｅｎｔ）を行うサブフレームをＵＥに通知する方法としては、例えば、メジャメント（ｍｅａｓｕｒｅｍｅｎｔ）を行うサブフレームをビットマップで通知する方法や、メジャメントを行うサブフレームをテーブル化しておき、そのテーブルのインデックスを通知する方法がある。
【００５３】
＜サブフレームの通知方法−ビットマップ＞
図３を参照して、ビットマップでメジャメント（ｍｅａｓｕｒｅｍｅｎｔ）を行うサブフレームをＵＥに通知する方法について、説明する。図３は、図２において、メジャメント（ｍｅａｓｕｒｅｍｅｎｔ）を行うサブフレームのビットマップ表現を示した図である。
【００５４】
ここで、図３では、サブフレーム番号［ｎ、ｎ＋１、・・・、ｎ＋７、・・・］を、［０、１、・・・、７、・・・］とした。これは、サブフレームをビットマップで通知する場合、全てのサブフレームに対して通知することができないため、ビットマップで通知するサブフレームに周期性を持たせてパターン化する必要がある。そのパターンの開始サブフレーム番号を０としたものである。
【００５５】
例えば、ビットマップのパターンとして、１０個のサブフレームで構成されるフレームで構成するパターンや、そのフレームを複数個連結して構成するパターンがある（例えば４フレームを連結するパターン）。
【００５６】
図３に示すビットマップにおいて、“１”はメジャメント（ｍｅａｓｕｒｅｍｅｎｔ）を行うサブフレームを示し、“０”はメジャメント（ｍｅａｓｕｒｅｍｅｎｔ）を行わないサブフレームを示している。
【００５７】
メジャメント（ｍｅａｓｕｒｅｍｅｎｔ）を行うサブフレームは、周辺の全てのＲＮにおいて「ＲＮがバックホールとして用いるＭＢＳＦＮサブフレーム」でないサブフレームであるので、図３では、サブフレーム［０、１、３、５、７、・・・］が、ビットマップパターンでは“１”となる。ｅＮＢ又はＲＮ１、ＲＮ２は、メジャメント（ｍｅａｓｕｒｅｍｅｎｔ）を行うサブフレームとして、ビットマップパターン“１１０１０１０１１・・・”をＵＥに通知することで、ＵＥは、ビットマップパターンで“１”に該当するサブフレーム番号において、メジャメント（ｍｅａｓｕｒｅｍｅｎｔ）を行うことができる。
【００５８】
＜サブフレームの通知方法−テーブル化＞
次に、テーブル化してインデックスを用いて通知する方法について図４を用いて説明する。図４は、図３に示すビットマップで通知する場合と同様に、図２のダウンリンクサブフレームの場合を例として、メジャメント（ｍｅａｓｕｒｅｍｅｎｔ）を行うサブフレームを示す図である。
【００５９】
図４に示すように、メジャメント（ｍｅａｓｕｒｅｍｅｎｔ）を行うサブフレームのテーブルをあらかじめ用意しておき、ｅＮＢ、ＲＮ１及びＲＮ２、並びにＵＥの間で共有する。例えば、図４に示す「メジャメントを行うサブフレームのテーブル」において、テーブル番号１は全てのサブフレームがメジャメントを行うサブフレームであることを示す。また、テーブル番号ｍは、サブフレーム［０、１、３、５、７、・・・］がメジャメントを行うことサブフレームであることを示す。
【００６０】
そして、図４に示すダウンリンクサブフレームの場合では、ＲＮ１では、サブフレーム［２、６］が「ＲＮがバックホールとして用いるＭＢＳＦＮサブフレーム」である。また、ＲＮ２では、サブフレーム［４］が「ＲＮがバックホールとして用いるＭＢＳＦＮサブフレーム」である。したがって、サブフレーム［０、１、３、５、７、・・・］が、ＵＥがメジャメントを行うサブフレームとなる。テーブル番号ｍを、ｅＮＢ、ＲＮ１、及びＲＮ２から、その配下のＵＥに通知することで、ＵＥはメジャメントを行うサブフレームを知ることができ、そのサブフレームにおいてメジャメントを行うことができる。
【００６１】
上述のように、本実施の形態では、ＵＥは、ハンドオーバー先の通信時における品質を精度良く測定することができる。そのため、本実施の形態では、メジャメント結果と、ハンドオーバー先の実際の品質との間に生じる誤差を抑制することができ、ＵＥは、ハンドオーバー先においてメジャメント結果に基づいて期待したスループットを達成できる。
【００６２】
＜無線通信端末の構成＞
次に、図５を参照して、実施の形態１に係る無線通信端末１００の構成について説明する。図５は、実施の形態１に係る無線通信端末１００のブロック図である。図５に示す無線通信端末１００は、アンテナ１０１と、スイッチ（ＳＷ）１０３と、受信ＲＦ部１０５と、受信処理部１０７と、周辺セル信号受信処理部１０９と、メジャメント制御部１１１と、メジャメントサブフレーム抽出部１１３と、メジャメント部１１５と、メジャメント結果メモリ部１１７と、メジャメント報告情報生成部１１９と、送信処理部１２１と、送信ＲＦ部１２３と、を備える。
【００６３】
受信ＲＦ部１０５は、アンテナ１０１で受信した信号に対して、通信帯域以外の信号を除去するためにフィルタ処理を行い、ＩＦ周波数帯もしくはベースバンド帯に周波数変換を行い、受信処理部１０７及び周辺セル信号受信処理部１０９に出力する。
【００６４】
受信処理部１０７は、受信ＲＦ部１０５から出力された信号に対して、受信処理を行い、受信信号に多重されているデータ及び制御情報の分離を行い、それぞれを出力する。具体的には、ＡＤコンバータ等でアナログ信号をデジタル信号に変換し、復調処理、復号処理などを行う。
【００６５】
周辺セル信号受信処理部１０９は、受信ＲＦ部１０５から出力された信号に対して、周辺のセルからの信号に対して受信処理を行い、メジャメントサブフレーム抽出部１１３に出力する。なお、受信処理部１０７と同様の処理を行うが、受信処理部１０７の処理と異なる点は、周辺のセル固有の処理を行う点である。具体的には、参照信号に対する受信処理などがある。ＬＴＥでは、セル固有の系列で参照信号が送信されているので、周辺セル信号受信処理部１０９は、周辺のセルの系列に応じた参照信号である周辺のセル固有の信号の受信処理を行う。
【００６６】
また、周辺セル信号受信処理部１０９の出力信号を使って、後段のメジャメント部１１５で、周辺のセルの品質を測定するために必要な信号を出力する。例えば、所望信号成分を測定する場合、周辺セル信号受信処理部１０９は、参照信号を出力する。また、干渉成分を測定する場合、周辺セル信号受信処理部１０９は、データ信号を出力する。
【００６７】
メジャメント制御部１１１は、受信処理部１０７から出力される自端末に対する制御情報においてメジャメント（ｍｅａｓｕｒｅｍｅｎｔ）を行うように指示情報が含まれている場は、制御情報の中からメジャメントを行うサブフレームに関する情報を抽出して、その情報をメジャメントサブフレーム抽出部１１３に出力する。ここで、メジャメント（ｍｅａｓｕｒｅｍｅｎｔ）を行うサブフレームを、ｅＮＢから自端末に通知する方法としては、図３を参照して説明した、ビットマップパターンを用いてメジャメント（ｍｅａｓｕｒｅｍｅｎｔ）を行うサブフレームを通知する方法や、図４を参照して説明した、メジャメント（ｍｅａｓｕｒｅｍｅｎｔ）を行うサブフレームをテーブル化してインデックスで通知する方法がある。
【００６８】
メジャメントサブフレーム抽出部１１３は、メジャメント部１１５から出力されたメジャメント（ｍｅａｓｕｒｅｍｅｎｔ）を行うサブフレームに関する情報に基づいて、周辺セル信号受信処理部１０９から出力される周辺のセル固有の信号を、サブフレーム単位で抽出して、メジャメント部１１５に出力する。
【００６９】
メジャメント部１１５は、メジャメントサブフレーム抽出部１１３で抽出された周辺セル信号を用いて、メジャメント（ｍｅａｓｕｒｅｍｅｎｔ）を行い、メジャメント結果メモリ部１１７に出力する。
【００７０】
メジャメント結果メモリ部１１７は、メジャメント部１１５で測定したメジャメント結果を記憶し、メジャメント報告情報生成部１１９に出力する。
【００７１】
メジャメント報告情報生成部は、メジャメント結果をｅＮＢに報告するタイミングにおいて、メジャメント結果メモリ部１１７で記憶したメジャメント結果を用いて、ｅＮＢに報告するメジャメント報告情報を生成して、送信処理部１２１に出力する。
【００７２】
送信処理部１２１は、メジャメント報告情報生成部１１９で生成したメジャメント報告情報を、ｅＮＢに送信できるように送信処理を行い、送信ＲＦ部１２３に出力する。送信処理には、例えば、送信データやフィードバック情報などの信号の多重や、符号化処理、変調処理などがある。
【００７３】
送信ＲＦ部１２３は、送信処理部１２１で送信処理された送信信号に対して、ＲＦ周波数への周波数変換、電力増幅、送信フィルタ処理を行い、スイッチ（ＳＷ）１０３を介して、アンテナ１０１に出力する。
【００７４】
次に、図６を参照して、本実施の形態に係る基地局装置２００（ｅＮＢ）の構成について説明する。図６は、実施の形態１に係る基地局装置２００の構成を示すブロック図である。図６に示す基地局装置２００は、メジャメント指示部２０１と、メジャメント情報生成部２０３と、信号多重部２０５と、送信処理部２０７と、送信ＲＦ部２０９と、スイッチ（ＳＷ）２１１と、アンテナ２１２と、受信ＲＦ部２１３と、受信処理部２１５と、メジャメント報告情報抽出部２１７と、ハンドオーバー制御部２１９と、を備える。
【００７５】
図中の送信データは、各ＵＥに対する送信データであり、信号多重部２０５に入力される。図中のＲＮ情報は、周辺のＲＮに関する情報として、周辺のＲＮにおいて「ＲＮがバックホールとして用いるＭＢＳＦＮサブフレーム」の位置情報などを含む周辺ＲＮ情報を含む。ＲＮ情報は、メジャメント情報生成部２０３に入力される。
【００７６】
メジャメント指示部２０１は、ハンドオーバーが必要なＵＥに対して周辺のセルのメジャメント（ｍｅａｓｕｒｅｍｅｎｔ）を行うように、メジャメント情報生成部２０３にメジャメント情報を生成するように指示を行う。
【００７７】
メジャメント情報生成部２０３は、メジャメント指示部によるメジャメントの指示に基づいて、メジャメントに関する情報を生成して、信号多重部２０５に出力する。
【００７８】
ここで、メジャメントに関する情報としては、ＲＮ情報に含まれる周辺ＲＮ情報を使って、周辺ＲＮにおいて「ＲＮがバックホールとして用いるＭＢＳＦＮサブフレーム」とならないサブフレームである、メジャメント（ｍｅａｓｕｒｅｍｅｎｔ）を行うサブフレームに関する情報がある。
【００７９】
信号多重部２０５は、入力された各ＵＥに対する送信データ、図示しない制御情報、メジャメントに関する情報などを多重して、送信処理部２０７に出力する。信号多重部２０５は、各ＵＥに対する送信データを配置して、ユーザ多重を行い、他の信号と多重する。
【００８０】
送信処理部２０７は、信号多重部２０５で多重された信号に対して送信処理を行い、送信ＲＦ部２０９に出力する。送信処理には、例えば、符号化処理、変調処理などがある。
【００８１】
送信ＲＦ部２０９は、送信処理部２０７で送信処理された送信信号に対して、ＲＦ周波数への周波数変換、電力増幅、送信フィルタ処理を行い、スイッチ（ＳＷ）２１１を介して、アンテナ２１２に出力する。
【００８２】
受信ＲＦ部２１３は、アンテナ２１２で受信した信号に対して、通信帯域以外の信号を除去するためにフィルタ処理を行い、ＩＦ周波数帯もしくはベースバンド帯に周波数変換を行い、受信処理部２１５に出力する。
【００８３】
受信処理部２１５は、受信ＲＦ部２１３から出力された信号に対して受信処理を行い、受信データ、制御情報などの分離を行う。具体的には、ＡＤコンバータ等でアナログ信号をデジタル信号に変換し、復調処理、復号処理などを行う。
【００８４】
メジャメント報告情報抽出部２１７は、受信処理部２１５で分離した制御情報の中から、メジャメント報告情報を抽出し、ハンドオーバー制御部２１９に出力する。
【００８５】
ハンドオーバー制御部２１９は、メジャメント報告情報抽出部２１７で抽出したメジャメント報告情報に基づいて、ハンドオーバーを制御する。
【００８６】
なお、本実施の形態では、メジャメント（ｍｅａｓｕｒｅｍｅｎｔ）を行うサブフレームを、ｅＮＢ又はＲＮ１、ＲＮ２がＵＥに対して通知していたが、これに限らない。例えば、ｅＮＢ又はＲＮ１、ＲＮ２がＵＥに対してメジャメント（ｍｅａｓｕｒｅｍｅｎｔ）を行うサブフレームを通知せずに、ＵＥ自身がメジャメント（ｍｅａｓｕｒｅｍｅｎｔ）を行うサブフレームを検出して、メジャメント（ｍｅａｓｕｒｅｍｅｎｔ）を行うこともできる。
【００８７】
ここで、ＵＥ自身が、メジャメント（ｍｅａｓｕｒｅｍｅｎｔ）を行うサブフレームを検出する方法としては、例えば、受信電力を用いてメジャメント（ｍｅａｓｕｒｅｍｅｎｔ）を行うサブフレームを検出する方法や、ｅＮＢ又はＲＮ１、ＲＮ２が送信するダウンリンクの制御情報（ＬＴＥのＰＤＣＣＨなど）を受信してメジャメント（ｍｅａｓｕｒｅｍｅｎｔ）を行うサブフレームを検出する方法がある。
【００８８】
＜メジャメントを行うサブフレームの検出−受信電力＞
［第１の例］
受信電力を用いてメジャメント（ｍｅａｓｕｒｅｍｅｎｔ）を行うサブフレームを検出する方法の第１の例として、次のような方法がある。まず、ＵＥは、複数のサブフレームにわたって受信電力を測定して、受信電力が最大となるサブフレームを検出する。ＵＥは、その最大受信電力から所定の電力差となる閾値を設定して、その閾値より受信電力が低いサブフレームを、周辺のＲＮにおける「ＲＮがバックホールとして用いるＭＢＳＦＮサブフレーム」として検出する。ＵＥは、検出した周辺のＲＮにおける「ＲＮがバックホールとして用いるＭＢＳＦＮサブフレーム」以外のサブフレームを、メジャメント（ｍｅａｓｕｒｅｍｅｎｔ）を行うサブフレームとする。
【００８９】
例えば、検出した最大となるサブフレームの受信電力をＰｍａｘ、所定の電力差をＰｄ、閾値をＰｔｈ、ｎ番目のサブフレームの受信電力Ｐｎとすると、ＵＥは、下記の式１を満たすサブフレームｎを、周辺のＲＮにおける「ＲＮがバックホールとして用いるＭＢＳＦＮサブフレーム」として検出する。
【００９０】
【数１】
2014239552.tif 000003
【００９１】
［第２の例］
また、受信電力を用いてメジャメント（ｍｅａｓｕｒｅｍｅｎｔ）を行うサブフレームを検出する方法の第２の例として、次のような方法もある。まず、ＵＥは、複数のサブフレームにわたって受信電力を測定して平均を行い、平均受信電力を検出する。ＵＥは、その平均受信電力から所定の電力差となる閾値を設定して、その閾値と各サブフレームの受信電力とを 比較する。そして、ＵＥは、その閾値より受信電力が低いサブフレームを、周辺のＲＮにおける「ＲＮがバックホールとして用いるＭＢＳＦＮサブフレーム」として検出する。ＵＥは、検出した周辺のＲＮにおける「ＲＮがバックホールとして用いるＭＢＳＦＮサブフレーム」以外のサブフレームを、メジャメント（ｍｅａｓｕｒｅｍｅｎｔ）を行うサブフレームとする。
例えば、平均受信電力をＰａｖｅとすると、式１と同様に、ＵＥは、下記の式２を満たすサブフレームｎを、周辺のＲＮにおける「ＲＮがバックホールとして用いるＭＢＳＦＮサブフレーム」として検出する。
【００９２】
【数２】
2014239552.tif 000004
【００９３】
［第３の例］
また、受信電力を用いてメジャメント（ｍｅａｓｕｒｅｍｅｎｔ）を行うサブフレームを検出する方法の第３の例として、次のような方法もある。まず、ＵＥは、ＲＮ１又はＲＮ２において「ＲＮがバックホールとして用いるＭＢＳＦＮサブフレーム」とならないサブフレームにおける受信電力を検出する。ＵＥは、その受信電力から所定の受信電力差となる閾値を設定して、その閾値と各サブフレームの受信電力Ｐｎとを比較する。そして、ＵＥは、その閾値より受信電力が低いサブフレームを、周辺のＲＮにおいて「ＲＮがバックホールとして用いるＭＢＳＦＮサブフレーム」として検出する。例えば、「ＲＮがバックホールとして用いるＭＢＳＦＮサブフレーム」とならないサブフレームとして、もともとＭＢＳＦＮサブフレームと設定されないサブフレーム番号０、４、５、９のサブフレームを設定する。
例えば、ＲＮ１又はＲＮ２において「ＲＮがバックホールとして用いるＭＢＳＦＮサブフレーム」とならないサブフレームの受信電力をＰｎｏｎ−ＭＢＳＦＮとすると、式１と同様に、ＵＥは、下記の式３を満たすサブフレームｎを、周辺のＲＮにおける「ＲＮがバックホールとして用いるＭＢＳＦＮサブフレーム」として検出する。
【００９４】
【数３】
2014239552.tif 000005
【００９５】
なお、上述した第１〜３の例の場合、ＵＥから距離が遠いＲＮからの信号電力が弱く、ＵＥがそのＲＮにおける「ＲＮがバックホールとして用いるＭＢＳＦＮサブフレーム」を検出できない場合がある。しかし、ＲＮがＵＥから離れているほど、ＵＥに対するＲＮの干渉は小さくなる。そのため、ＵＥから距離が遠いＲＮからの信号電力を受信できなくても、ＵＥはメジャメント（ｍｅａｓｕｒｅｍｅｎｔ）を行うサブフレームを検出できる。
【００９６】
＜メジャメントを行うサブフレームの検出−ＤＬの制御情報の受信＞
ｅＮＢ、ＲＮ１、ＲＮ２のそれぞれから送信される制御情報（具体的にはＬＴＥのＰＤＣＣＨなど）に対して受信処理を行い、ＭＢＳＦＮサブフレームとなっているＲＮの制御情報を検出する。この場合、ＵＥから距離が遠い、ＲＮからの信号電力が弱く、そのＲＮの制御情報を検出できない場合があるが、このような遠いＲＮからの干渉は小さいので、メジャメントに与える影響は小さいので問題はない。
【００９７】
上述のように、本実施の形態において、ＵＥ自身がメジャメント（ｍｅａｓｕｒｅｍｅｎｔ）を行うサブフレームを検出することで、ＵＥは支配的な干渉を考慮したメジャメント（ｍｅａｓｕｒｅｍｅｎｔ）を行うことができる。さらに、ｅＮＢ又はＲＮ１、ＲＮ２からＵＥにメジャメント（ｍｅａｓｕｒｅｍｅｎｔ）を行うサブフレームを通知しなくても良いので、シグナリングのオーバーヘッドを減らすことができる。
【００９８】
＜ＵＥの変形例＞
ここで、図７を参照して、本実施の形態において、受信電力からメジャメントを行うサブフレームを検出する場合における無線通信端末（ＵＥ）５００の構成について、説明する。図７は、無線通信端末５００の構成を示すブロック図である。なお、図７に示す無線通信端末５００が、図５に示す無線通信端末１００と異なる点は、メジャメントサブフレーム検出部５１２が追加された点である。それ以外の構成は同じであり、同じ構成には同じ参照符号を付し、その詳細な説明を適宜、省略する。
【００９９】
図７に示す無線通信端末５００は、アンテナ１０１と、スイッチ（ＳＷ）１０３と、受信ＲＦ部１０５と、受信処理部１０７と、周辺セル信号受信処理部１０９と、メジャメント制御部１１１と、メジャメントサブフレーム検出部５１２と、メジャメントサブフレーム抽出部１１３と、メジャメント部１１５と、メジャメント結果メモリ部１１７と、メジャメント報告情報生成部１１９と、送信処理部１２１と、送信ＲＦ部１２３と、を備える。
【０１００】
メジャメント制御部１１１は、受信処理部１０７から出力される自端末に対する制御情報において、メジャメント（ｍｅａｓｕｒｅｍｅｎｔ）を行うように指示があった場合には、メジャメントサブフレーム検出部５１２に対して、メジャメント（ｍｅａｓｕｒｅｍｅｎｔ）を行うサブフレームを検出するように指示する。
【０１０１】
メジャメントサブフレーム検出部５１２は、メジャメント制御部１１１の指示に基づいて、受信ＲＦ部１０５から出力される信号を用いて、メジャメント（ｍｅａｓｕｒｅｍｅｎｔ）を行うサブフレームを検出する。
たとえば、メジャメントサブフレーム検出部５１２がメジャメント（ｍｅａｓｕｒｅｍｅｎｔ）を行うサブフレームを検出する方法として、受信電力を用いてメジャメント（ｍｅａｓｕｒｅｍｅｎｔ）を行うサブフレームを検出する第１〜第３の例、及びｅＮＢ又はＲＮ１、ＲＮ２が送信するダウンリンクの制御情報（ＬＴＥのＰＤＣＣＨなど）を受信してメジャメント（ｍｅａｓｕｒｅｍｅｎｔ）を行うサブフレームを検出する例がある。
【０１０２】
メジャメントサブフレーム抽出部１１３は、メジャメントサブフレーム検出部５１２で検出したメジャメント（ｍｅａｓｕｒｅｍｅｎｔ）を行うサブフレームに基づいて、周辺セル信号受信処理部１０９から出力される周辺セル信号を、サブフレーム単位で抽出して、メジャメント部１１５に出力する。
【０１０３】
メジャメント部１１５は、メジャメントサブフレーム抽出部１１３で抽出された周辺セル信号を用いて、メジャメント（ｍｅａｓｕｒｅｍｅｎｔ）を行い、メジャメント結果メモリ部１１７に出力する。
【０１０４】
メジャメント結果メモリ部１１７は、メジャメント部１１５で測定したメジャメント結果およびメジャメントサブフレーム検出部５１２で検出したメジャメントを行うサブフレームのサブフレーム番号を記憶しておき、メジャメント報告情報生成部１１９に出力する。
【０１０５】
メジャメント報告情報生成部１１９は、メジャメント結果を、ｅＮＢに報告するタイミングにおいて、メジャメント結果メモリ部１１７で記憶したメジャメント結果およびメジャメントを行うサブフレームのサブフレーム番号を用いて、ｅＮＢに報告する情報を生成して、送信処理部１２１に出力する。
【０１０６】
なお、本実施の形態では、メジャメント（ｍｅａｓｕｒｅｍｅｎｔ）を行うサブフレームをｅＮＢ、ＲＮ１、及びＲＮ２からＵＥに直接通知する方法を説明したが、これに限らない。ｅＮＢ、ＲＮ１、及びＲＮ２は、周辺のＲＮにおいて「ＲＮがバックホールとして用いるＭＢＳＦＮサブフレーム」の位置を、周辺のＲＮ毎に通知して、ＵＥにおいて、全ＲＮにおいてバックホールとして用いるＭＢＳＦＮサブフレームとならないサブフレームを導出して、メジャメント（ｍｅａｓｕｒｅｍｅｎｔ）を行うサブフレームを特定することも可能である。
【０１０７】
なお、本実施の形態では、メジャメント（ｍｅａｓｕｒｅｍｅｎｔ）を行うサブフレームとして、周辺ＲＮにおいて「ＲＮバックホールとして用いるＭＢＳＦＮサブフレーム」とならないサブフレームを通知しているが、これに限らない。ＲＮにおいて「ＲＮがバックホールとして用いるＭＢＳＦＮサブフレーム」とならないサブフレームが決まっている場合には、そのサブフレームを、メジャメント（ｍｅａｓｕｒｅｍｅｎｔ）を行うサブフレームと定めていても良い。例えば、ＬＴＥでは、サブフレーム［０、４、５、９］が、ＭＢＳＦＮサブフレームと設定されないように定められている。これにより、メジャメント（ｍｅａｓｕｒｅｍｅｎｔ）を行うサブフレームを通知しなくてよいので、シグナリングのオーバーヘッドを抑えることができる。
【０１０８】
なお、本実施の形態では、ＵＥはメジャメント（ｍｅａｓｕｒｅｍｅｎｔ）を行うサブフレームにおいてメジャメントした結果を、複数回にわたって平均化することで、メジャメントの精度を改善することができる。
【０１０９】
なお、本実施の形態では、メジャメント（ｍｅａｓｕｒｅｍｅｎｔ）を行うサブフレームとして、周辺ＲＮにおいて「ＲＮがバックホールとして用いるＭＢＳＦＮサブフレーム」とならないサブフレームとしたが、これに限らない。例えば、周辺のｅＮＢもしくはＲＮ１、ＲＮ２において、トラフィックが少なく、データが送信されないサブフレームがある場合などがある。このサブフレームも、本実施例におけるＲＮにおいてバックホールとして用いるＭＢＳＦＮサブフレームと同じである。このため、このトラフィックが少なくデータが送信されないサブフレームも、メジャメントを行うサブフレームとならない、としてもよい。
【０１１０】
なお、本実施の形態では、周辺のＲＮとして、自セルがＲＮの場合には、ＵＥが接続するＲＮと、そのＲＮが接続するｅＮＢに接続する他のＲＮであり、自セルがｅＮＢの場合には、ｅＮＢに接続しているＲＮである、としたがこれに限らない。例えば、他のｅＮＢに接続しているＲＮであってもよい。この場合、各ｅＮＢに接続するＲＮのバックホールに用いるＭＢＳＦＮサブフレームの位置情報を、ｅＮＢ間で交換することで、本実施の形態と同じように動作することができる。
【０１１１】
（実施の形態２）
以下、本発明の実施の形態２について、図８〜図１１を参照して説明する。
まず、本発明の実施の形態２における無線中継システムについて、説明する。図８は、本発明の実施の形態２における無線中継システムを示す図である。図８おいて、ｅＮＢは基地局（基地局装置）４００、ＲＮ１、ＲＮ２、ＲＮ３は中継局６１０、６２０、６３０、ＵＥは無線通信端末７００をそれぞれ示す。
【０１１２】
以下、実施の形態２では、無線通信端末７００をＵＥ、基地局４００をｅＮＢ、中継局６１０、６２０、６３０をそれぞれＲＮ１、ＲＮ２、ＲＮ３と記載する。
以下、実施の形態２では、ＬＴＥ−Ａで検討されているように、ＲＮ１、ＲＮ２は、ｅＮＢと同様に、個別のセルＩＤを持つものとする。そのため、ＵＥからみると、ＲＮ１、ＲＮ２もそれぞれ、ｅＮＢと同様に、１つのセルとみなすことができる。
以下、実施の形態２では、ＬＴＥ−Ａで検討されているように、バックホール回線とＲＮのアクセス回線を時間領域（サブフレーム単位）で分割して割当てるＲｅｌａｙ方式をとるものとする。
【０１１３】
ここで、実施の形態１では、複数のＲＮが存在する場合、全てのＲＮにおいて「ＲＮがバックホールとして用いるＭＢＳＦＮサブフレーム」の数が増えることで、メジャメントを行うサブフレーム数が減り、サンプルが十分にとれずに、メジャメントの精度が低下する場合がある。一方、メジャメント（ｍｅａｓｕｒｅｍｅｎｔ）の精度を保つためにサンプルを十分にとると、メジャメント（ｍｅａｓｕｒｅｍｅｎｔ）の時間がかかる場合がある。
【０１１４】
そこで、実施の形態２では、複数のＲＮ１、ＲＮ２、ＲＮ３が存在する場合に、各ＲＮからＵＥまでの距離によって、各ＲＮからＵＥへの干渉量が変化することに着目する。つまり、ＵＥまでの距離が遠いＲＮほどＵＥへの干渉量は小さくなるので、メジャメント（ｍｅａｓｕｒｅｍｅｎｔ）の影響は小さくなるといえる。
【０１１５】
ここで、図８及び図９を参照して、各ＲＮからＵＥまでの距離と各ＲＮからＵＥへの干渉量との関係について、説明する。図９は、図８に示す無線中継システムにおけるＤＬのサブフレームを示す図である。なお、図８では、ＵＥはｅＮＢに接続している。ＲＮ１とＲＮ２の近くにＵＥが位置しており、ＲＮ３の位置は、ＵＥに対して、ＲＮ１及びＲＮ２の位置よりも遠いものとする。
【０１１６】
図９を参照すると、ＲＮ１において「ＲＮがバックホールとして用いるＭＢＳＦＮサブフレーム」の位置は、サブフレーム［ｎ＋２、ｎ＋６］である。ＲＮ２において「ＲＮがバックホールとして用いるＭＢＳＦＮサブフレーム」の位置は、サブフレーム［ｎ＋４、ｎ＋８］である。ＲＮ３において「ＲＮがバックホールとして用いるＭＢＳＦＮサブフレーム」の位置は、サブフレーム［ｎ＋３、ｎ＋７］である。
【０１１７】
ＲＮ３は、ＲＮ１やＲＮ２に比べてＵＥからの距離が遠いので、ＵＥにおいてＲＮ３から受ける干渉量は、ＲＮ１やＲＮ２に比べて小さい。そのため、ＵＥが受ける全体の干渉量において、ＵＥに近いＲＮ１、ＲＮ２からの干渉量が支配的であり、ＵＥに遠いＲＮ３からの干渉量は、全体の干渉量に対して影響は小さい。
【０１１８】
ＵＥから距離が遠いＲＮ３における「ＲＮがバックホールとして用いるＭＢＳＦＮサブフレーム」であっても、ＵＥへの干渉量全体に対する影響は小さいことから、メジャメント（ｍｅａｓｕｒｅｍｅｎｔ）を行うサブフレームとしても、メジャメントへの影響は小さいといえる。
【０１１９】
したがって、図９では、ＲＮ１、ＲＮ２よりもＵＥからの距離が遠いＲＮ３以外のＲＮ１及びＲＮ２において、「ＲＮがバックホールとして用いるＭＢＳＦＮサブフレーム」とならないサブフレームとして、サブフレーム［ｎ、ｎ＋１、ｎ＋３、ｎ＋５、ｎ＋７］をＵＥへ通知することで、ＵＥはメジャメント（ｍｅａｓｕｒｅｍｅｎｔ）を行うサブフレームを知ることができ、メジャメントを行うサブフレーム数を増やすことができる。
【０１２０】
また、各ＲＮからＵＥへの干渉量全体に対して支配的な干渉を与えるＲＮ１、ＲＮ２は、ＵＥに対してＲＮ３よりも近くに位置するＲＮ１、ＲＮ２である。１つのＵＥに対して、距離的に近いＲＮとなるのは、隣接するＲＮであるといえる。例えば、図８において、ＲＮ１とＲＮ２、ＲＮ２とＲＮ３は隣接しており、距離が近いＲＮといえるが、ＲＮ１とＲＮ３は隣接していない。したがって、他のＲＮと隣接していないＲＮ３が、１つのＵＥに対して支配的な干渉を与えることはないといえる。そのため、図９に示すように、ＭＢＳＦＮサブフレームとならない複数ＲＮの組み合わせとしては、隣接するＲＮだけでよい。
【０１２１】
したがって、実施の形態２に係る無線中継システムでは、ｅＮＢ又はＲＮ１、ＲＮ２がＵＥにメジャメントを行うサブフレームを通知するのに、隣接するＲＮの組み合わせの情報に基づき、「ＲＮがバックホールとして用いるＭＢＳＦＮサブフレーム」とならないサブフレームを決定する。その結果、ハンドオーバーの処理および制御が容易になる。
【０１２２】
上述したような、各ＲＮからＵＥまでの距離と各ＲＮからＵＥへの干渉量との関係に基づき、本実施の形態に係るＵＥは、隣接するＲＮをグループ化し、そのグループ内のＲＮにおいて「ＲＮがバックホールとして用いるＭＢＳＦＮサブフレーム」とならないサブフレームで、ハンドオーバーのメジャメント（ｍｅａｓｕｒｅｍｅｎｔ）を行う。以下、具体的な方法について、図８及び図９を参照して説明する。図８では、ＲＮ１とＲＮ２の組、ＲＮ２とＲＮ３の組が隣接するＲＮのグループである。ＲＮ１とＲＮ２の組をＲＮグループ１とし、ＲＮ２とＲＮ３の組をＲＮグループ２とする。
【０１２３】
ここで、図９を参照すると、サブフレーム［ｎ、ｎ＋１、ｎ＋３、ｎ＋５、ｎ＋７］が、ＲＮグループ１を構成するＲＮにおいて「ＲＮがバックホールとして用いるＭＢＳＦＮサブフレーム」とならないサブフレームである。また、サブフレーム［ｎ、ｎ＋１、ｎ＋２、ｎ＋５、ｎ＋６］が、ＲＮグループ２を構成するＲＮにおいて「ＲＮがバックホールとして用いるＭＢＳＦＮサブフレーム」とならないサブフレームである。これらのサブフレームが、各ＲＮグループのメジャメント（ｍｅａｓｕｒｅｍｅｎｔ）を行うサブフレームとなる。ｅＮＢ又は各ＲＮは、ｅＮＢとＲＮの間で各ＲＮにおけるバックホール用のＭＢＳＦＮサブフレームの位置に関する情報を交換して、各ＲＮグループのメジャメント（ｍｅａｓｕｒｅｍｅｎｔ）を行うサブフレームを導出し、ＵＥに対してメジャメント（ｍｅａｓｕｒｅｍｅｎｔ）を行うサブフレームを通知する。
【０１２４】
ｅＮＢ又は各ＲＮがＵＥに対して、メジャメント（ｍｅａｓｕｒｅｍｅｎｔ）を行うサブフレームを通知する具体的な方法としては、例えば、実施の形態１と同様、ビットマップパターンで通知する方法や、メジャメントを行うサブフレームをテーブル化しておき、そのテーブルのインデックスを通知する方法がある。
【０１２５】
実施の形態２において、ＲＮ３は、ＲＮ１及びＲＮ２よりもＵＥから遠くに位置するので、ＵＥは、ＲＮ１とＲＮ２からなるＲＮグループ１のメジャメント（ｍｅａｓｕｒｅｍｅｎｔ）を行うサブフレームにおいて、メジャメント（ｍｅａｓｕｒｅｍｅｎｔ）を行う。
【０１２６】
ＵＥがメジャメント（ｍｅａｓｕｒｅｍｅｎｔ）を行う際に用いるＲＮグループは、ｅＮＢ又は各ＲＮがＵＥに対して指示する。この場合、ｅＮＢ又は各ＲＮにおいて、ＵＥの位置が分かっている場合は、そのＵＥから遠いＲＮ３が除かれるＲＮグループを選択し、そのＲＮグループについてのメジャメントを行うサブフレームにおいてメジャメントを行うことを指示する。一方で、ｅＮＢ又は各ＲＮにおいて、ＵＥの位置が分からない場合は、ｅＮＢ又は各ＲＮは、各ＲＮグループについてメジャメントを行うサブフレームを通知して、全てのＲＮグループについてメジャメントを行うようにＵＥに指示する。または、ｅＮＢ又は各ＲＮは、各ＲＮグループについて順次メジャメントを行うようにＵＥに指示する。
【０１２７】
上述のように、本実施の形態では、複数のＲＮが存在する場合においても、メジャメントに用いるサブフレーム数を確保できるので、ＵＥは、ハンドオーバー先の通信時における品質を精度良く測定することができる。そのため、メジャメント結果に基づく品質と実際のハンドオーバー先の品質との間の誤差の発生が抑制でき、ハンドオーバー先において、ＵＥはメジャメント結果に基づいて期待したスループットを達成できる。
【０１２８】
本実施の形態の無線通信端末７００の構成は、実施の形態１の無線通信端末１００と同じであるので、その詳細な説明については省略する。
【０１２９】
次に、図１０を参照して、本実施の形態の基地局（基地局装置）４００の構成について説明する。図１０は、本実施の形態に係る基地局４００の構成を示すブロック図である。ここで、図１０に示す基地局４００が、図６に示す基地局２００と異なる点は、メジャメント情報生成部２０３に入力されるＲＮ情報が、ＲＮグループ情報になった点である。それ以外の構成については同じであり、同じ構成については同じ参照番号付して、その詳細な説明を適宜省略する。
【０１３０】
図１０に示す基地局４００（ｅＮＢ）は、メジャメント指示部２０１と、メジャメント情報生成部２０３と、信号多重部２０５と、送信処理部２０７と、送信ＲＦ部２０９と、スイッチ（ＳＷ）２１１と、アンテナ２１２と、受信ＲＦ部２１３と、受信処理部２１５と、メジャメント報告情報抽出部２１７と、ハンドオーバー制御部２１９と、を備える。
【０１３１】
ＲＮグループ情報は、複数のＲＮを組み合わせたＲＮグループに関する情報として、各ＲＮグループのメジャメント（ｍｅａｓｕｒｅｍｅｎｔ）を行うサブフレームなどがあり、メジャメント情報生成部２０３に入力される。各ＲＮグループのメジャメント（ｍｅａｓｕｒｅｍｅｎｔ）を行うサブフレームは、各ＲＮグループ内のＲＮにおいて「ＲＮがバックホールとして用いるＭＢＳＦＮサブフレーム」とならないサブフレームである。また、ＲＮグループは、ＲＮを設置するタイミングなどにおいて形成したものを継続して利用しても良いし、定期的に形成したものを利用してもよい。ＲＮのグループ化の方法としては、例えば、隣接しているＲＮを組み合わせてグループ化する方法や、距離的に近いＲＮをグループ化する方法などがある。
【０１３２】
メジャメント指示部２０１は、ハンドオーバーが必要なＵＥに対して隣接するセルのメジャメント（ｍｅａｓｕｒｅｍｅｎｔ）を行うように、メジャメント情報生成部２０３にメジャメント情報を生成するように指示を行う。この際、ＵＥがどのＲＮグループのメジャメントを行うサブフレームを用いるかをあわせて指示する。
【０１３３】
メジャメント情報生成部２０３は、メジャメント指示部２０１によるメジャメントの指示に基づいて、メジャメント関する制御情報を生成して、信号多重部２０５に出力する。メジャメントに関する情報としては、メジャメント指示部２０１で指示されたＲＮグループのメジャメント（ｍｅａｓｕｒｅｍｅｎｔ）を行うサブフレームに関する情報がある。
【０１３４】
なお、本実施の形態では、ＵＥにおいてメジャメントを行う際に用いるＲＮグループは、ｅＮＢ又はＲＮがＵＥに対して指示したが、これに限らない。例えば、ｅＮＢ又はＲＮからＵＥに対して複数のＲＮグループについてメジャメント（ｍｅａｓｕｒｅｍｅｎｔ）を行うサブフレームに関する情報を通知しておき、ＵＥにおいてＲＮグループを決定する方法でもよい。
【０１３５】
ここで、図９を参照して、ＵＥにおいてＲＮグループを決定する方法について説明する。まず、ＵＥにおいて全てのＲＮグループについて、メジャメント（ｍｅａｓｕｒｅｍｅｎｔ）を行うサブフレームとなりうる可能性のあるサブフレーム［ｎ、ｎ＋１、ｎ＋２、ｎ＋３、ｎ＋５、ｎ＋６］について受信電力の測定を行う。そして、各ＲＮグループのメジャメント（ｍｅａｓｕｒｅｍｅｎｔ）を行うサブフレームについて、サブフレームごとに受信電力の測定結果を比較する。ＲＮグループ１は、サブフレーム［ｎ、ｎ＋１、ｎ＋３、ｎ＋５、ｎ＋７］、ＲＮグループ２は、サブフレーム［ｎ、ｎ＋１、ｎ＋２、ｎ＋５、ｎ＋６］である。
【０１３６】
ここで、ＲＮグループ１のほうがＲＮグループ２よりも、サブフレームごとの変動が小さい。逆に、ＲＮグループ２のほうがＲＮグループ１よりも、サブフレームごとの変動が大きくなる。サブフレームごとの変動が大きいＲＮグループ２の場合、支配的な干渉成分がないサブフレームでＵＥはメジャメント（ｍｅａｓｕｒｅｍｅｎｔ）を行っている。したがって、ＵＥは、サブフレームごとの変動が小さいＲＮグループ１を検出すればよい。
【０１３７】
例えば、ＲＮグループ１における最大受信電力をＰＧ１_ｍａｘとし、最小受信電力をＰＧ１_ｍｉｎとすると、ＲＮグループ１における受信電力差ＰＧ１_Ｄは、次式４で表わされる。
【０１３８】
【数４】
2014239552.tif 000006
【０１３９】
同様に、ＲＮグループ２についても、最大受信電力をＰＧ２_ｍａｘとし、最小受信電力をＰＧ２_ｍｉｎとすると、ＲＮグループ２における受信電力差ＰＧ２_Ｄは、次式５で表わされる。
【０１４０】
【数５】
2014239552.tif 000007
【０１４１】
ここで、ＵＥは、ＲＮグループ１における受信電力差ＰＧ１_ＤとＲＮグループ２における受信電力差ＰＧ２_Ｄとを比較し、受信電力差が小さい方のＲＮグループを検出すれば良い。なお、サブフレームごとの最大受信電力と最小受信電力の差分以外に、サブフレームごとの受信電力の分散や標準偏差、平均値からの閾値判定なども用いることができる。また、サブフレームごとの受信電力を用いてＲＮグループを検出しているが、メジャメント結果を用いてもよい。
【０１４２】
＜ＵＥの変形例＞
上述したようにＵＥがＲＮグループを検出する場合の、ＵＥの構成について、図１１を参照して、説明する。図１１は、実施の形態２における無線通信端末７００の変形例（ＵＥ）の構成を示すブロック図である。図１１に示す無線通信端末９００は、アンテナ１０１と、スイッチ（ＳＷ）１０３と、受信ＲＦ部１０５と、受信処理部１０７と、周辺セル信号受信処理部１０９と、メジャメント制御部７１０と、メジャメント候補サブフレーム抽出部７１１と、ＲＮグループ検出部７１２と、メジャメントサブフレーム抽出部１１３と、メジャメント部１１５と、メジャメント結果メモリ部１１７と、メジャメント報告情報生成部１１９と、送信処理部１２１と、送信ＲＦ部１２３と、を備える。
【０１４３】
図１１に示すＵＥのブロック図において、図５に示すＵＥのブロック図と異なる点は、メジャメント候補サブフレーム抽出部７１１と、ＲＮグループ検出部７１２と、が追加された点である。それ以外の構成は同じであり、同じ構成には同じ参照符号を付し、その詳細な説明を適宜、省略する。
【０１４４】
メジャメント制御部７１０は、受信処理部１０７から出力される自端末に対する制御情報においてメジャメントを行うように指示が含まれるかどうか検出し、メジャメントを行うように指示が含まれている場合、制御情報の中からＲＮグループと各ＲＮグループについてのメジャメントを行うサブフレームに関するＲＮグループ情報を抽出する。
【０１４５】
また、メジャメント制御部７１０は、抽出した情報から、メジャメントを行うサブフレームの候補となる可能性のあるサブフレームの位置の情報をメジャメント候補サブフレーム抽出部７１１に出力し、ＲＮグループ情報をグループ検出部７１２に出力する。
【０１４６】
メジャメント候補サブフレーム抽出部７１１は、メジャメント制御部７１０から出力されたメジャメント候補のサブフレームに関する位置情報に基づいて、受信ＲＦ１０５部から出力される信号から、メジャメント候補のサブフレームに関する位置情報をサブフレーム単位で抽出して、ＲＮグループ検出部７１２に出力する。
【０１４７】
ＲＮグループ検出部７１２は、メジャメント候補サブフレーム抽出部７１１から出力された信号を用いて、サブフレーム単位の受信電力を測定する。そして、ＲＮグループ検出部７１２は、各ＲＮグループのメジャメントを行うサブフレームについて、受信電力を比較して、サブフレームごとの変動が一番小さいＲＮグループを検出する。ＲＮグループの検出方法は、前述したように、ＵＥがＲＮグループ１における受信電力差ＰＧ１_ＤとＲＮグループ２における受信電力差ＰＧ２_Ｄとを比較し、受信電力差が小さい方のＲＮグループを検出する。そして、サブフレームごとの受信電力の変動が一番小さいＲＮグループにおいて、メジャメントを行うサブフレーム情報をメジャメントサブフレーム抽出部１１３に出力する。
【０１４８】
メジャメントサブフレーム抽出部１１３は、ＲＮグループ検出部７１２から出力されたメジャメントを行うサブフレームに関する情報に基づいて、周辺セル信号受信処理部から出力される周辺セル信号を、サブフレーム単位で抽出して、メジャメント部１１５に出力する。
【０１４９】
なお、本実施の形態では、ＵＥはメジャメント（ｍｅａｓｕｒｅｍｅｎｔ）を行うサブフレームにおいてメジャメントした結果を、複数回にわたって平均化することで、メジャメントの精度を改善することができる。
【０１５０】
なお、本実施の形態では、メジャメント（ｍｅａｓｕｒｅｍｅｎｔ）を行うサブフレームとして、周辺ＲＮにおいて「ＲＮがバックホールとして用いるＭＢＳＦＮサブフレーム」とならないサブフレームとしたが、これに限らない。例えば、周辺のｅＮＢもしくはＲＮ１、ＲＮ２において、トラフィックが少なく、データが送信されないサブフレームがある場合などがある。このサブフレームも、本実施例におけるＲＮにおいてバックホールとして用いるＭＢＳＦＮサブフレームと同じである。このため、このトラフィックが少なくデータが送信されないサブフレームも、メジャメントを行うサブフレームとならない、としてもよい。
【０１５１】
なお、本実施の形態では、周辺のＲＮとして、自セルがＲＮの場合には、ＵＥが接続するＲＮと、そのＲＮが接続するｅＮＢに接続する他のＲＮであり、自セルがｅＮＢの場合には、ｅＮＢに接続しているＲＮである、としたがこれに限らない。例えば、他のｅＮＢに接続しているＲＮであってもよい。この場合、各ｅＮＢに接続するＲＮのバックホールに用いるＭＢＳＦＮサブフレームの位置情報を、ｅＮＢ間で交換することで、本実施の形態と同じように動作することができる。
【０１５２】
なお、上記各実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１５３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５４】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１５５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１５６】
本発明を詳細にまた特定の実施態様を参照して説明したが、本発明の精神と範囲を逸脱することなく様々な変更や修正を加えることができることは当業者にとって明らかである。
【０１５７】
本出願は、2009年6月10日出願の日本特許出願（特願2009−139294）に基づくものであり、その内容はここに参照として取り込まれる。
【産業上の利用可能性】
【０１５８】
本発明に係る通信装置及び通信方法は、ハンドオーバー先の通信時における品質を精度良く測定できるという効果を有し、基地局装置等として有用である。
【符号の説明】
【０１５９】
１００、５００、９００  無線通信端末
１０１、２１２  アンテナ
１０３、２１１  スイッチ（ＳＷ）
１０５、２１３  受信ＲＦ部
１０７、２１５  受信処理部
１０９  周辺セル信号受信処理部
１１１  メジャメント制御部
１１３  メジャメントサブフレーム抽出部
１１５  メジャメント部
１１７  メジャメント結果メモリ部
１１９  メジャメント報告情報生成部
１２１、２０７  送信処理部
１２３、２０９  送信ＲＦ部
２００、４００  基地局（基地局装置）
２０１  メジャメント指示部
２０３  メジャメント情報生成部
２０５  信号多重部
２１７  メジャメント報告情報抽出部
２１９  ハンドオーバー制御部
５１２  メジャメントサブフレーム検出部
７１０  メジャメント制御部
７１１  メジャメント候補サブフレーム抽出部
７１２  ＲＮグループ検出部
【図１】
2014239552.tif 000008
【図２】
2014239552.tif 000009
【図３】
2014239552.tif 000010
【図４】
2014239552.tif 000011
【図５】
2014239552.tif 000012
【図６】
2014239552.tif 000013
【図７】
2014239552.tif 000014
【図８】
2014239552.tif 000015
【図９】
2014239552.tif 000016
【図１０】
2014239552.tif 000017
【図１１】
2014239552.tif 000018
【図１２】
2014239552.tif 000019
【図１３】
2014239552.tif 000020